(57)【要約】      （修正有）【課題】汚染土壌を加熱して汚染土壌中の水分及びダイオキシン類（ＤＸＮ）やポリ塩化ビフェニル（ＰＣＢ）などの有害物質を蒸発気化させ、該加熱により汚染土壌から有害物質を蒸発除去し、有害物質を除去された処理土壌を排出して処理土壌を多目的に再利用することができる汚染土壌処理方法及びその装置を提供する。【解決手段】汚染土壌を加熱して汚染土壌中の水分及び有害物質を蒸発気化させる汚染土壌処理部Ａと、上記汚染土壌処理部の水槽部５からの溢流水に活性炭Ｋを加えて撹拌混合する水浄化処理部Ｂと、有害物質を含む活性炭からなる被処理物Ｗを間接加熱して該被処理物中の有害物質を蒸発気化させる熱分解除去処理部Ｃとからなる。【選択図】図１
2010051837.tif 000002
【特許請求の範囲】
【請求項１】
汚染土壌を加熱して汚染土壌中の水分及び有害物質を蒸発気化させ、該加熱により汚染土壌から有害物質が蒸発して除去された処理土壌を排出し、該加熱により該汚染土壌から蒸発して気化した有害物質を含む蒸発ガスと水とを気液接触させ、該有害物質を含む蒸発ガスと水とを気液分離し、該気液接触及び気液分離により有害物質が移行した水を貯めると共に該気液分離された該蒸発ガスを消臭して排気する汚染土壌処理工程と、上記汚染土壌処理工程からの溢流水に活性炭を加えて撹拌混合し、該混合物中の有害物質を吸着した活性炭を沈降処理し、該沈降処理により沈降した該活性炭を脱水処理する水浄化処理工程と、上記水浄化処理工程で脱水された有害物質を含む活性炭からなる被処理物を間接加熱して該被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理工程とからなることを特徴とする汚染土壌処理方法。
【請求項２】
汚染土壌を加熱して汚染土壌中の水分及び有害物質を蒸発気化させる汚染土壌加熱部、該加熱により汚染土壌から有害物質が蒸発して除去された処理土壌を排出する土壌取出部、該加熱により該汚染土壌から蒸発して気化した有害物質を含む蒸発ガスと水とを気液接触させる気液接触部、該有害物質を含む蒸発ガスと水とを気液分離する気液分離部、該気液接触及び気液分離により有害物質が移行した水を貯める水槽部及び該気液分離された該蒸発ガスを消臭して排気する消臭排気部からなる汚染土壌処理部と、上記汚染土壌処理部の水槽部からの溢流水に活性炭を加えて撹拌混合する混合槽部、該混合物中の有害物質を吸着した活性炭を沈降処理する沈降槽部及び該沈降処理により沈降した該活性炭を脱水処理する脱水槽部からなる水浄化処理部と、上記水浄化処理部の脱水槽部で脱水された有害物質を含む活性炭からなる被処理物を間接加熱して該被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理部とからなることを特徴とする汚染土壌処理装置。
【請求項３】
上記熱分解除去処理部は、上記被処理物を間接加熱して該被処理物中の水分及び有害物質を蒸発気化させる蒸発部、該間接加熱により被処理物から蒸発気化した蒸発ガスを減圧雰囲気下で加熱して蒸発ガス中の有害物質を熱分解により除去する加熱部と、該有害物質が除去された処理ガスを排気する排気部とを備えてなることを特徴とする請求項２記載の汚染土壌処理装置。
【請求項４】
上記汚染土壌処理部の気液接触部は、上記水槽部内の水の噴流によるベンチュリー効果を用いた構造となっていることを特徴とする請求項２又は３記載の汚染土壌処理装置。
【請求項５】
上記汚染土壌処理部の消臭排気部に、上記蒸発ガス中の塩素分を苛性ソーダの噴霧により中和する中和処理部を備えてなることを特徴とする請求項２〜４のいずれか１項に記載の汚染土壌処理装置。
【請求項６】
上記熱分解除去処理部の加熱部は１０Ｐａ〜１００Ｐａの減圧雰囲気下に作製されていることを特徴とする請求項２〜５のいずれか１項に記載の汚染土壌処理装置。
【請求項７】
上記熱分解除去処理部の加熱部は、上記蒸発部での該間接加熱により被処理物から蒸発気化した蒸発ガスを減圧雰囲気下で間接予備加熱する予備加熱部と、該予備加熱された該蒸発ガスを減圧雰囲気下で間接本加熱して蒸発ガスに含まれている有害物質を熱分解により除去する本加熱部とからなることを特徴とする請求項３〜６のいずれか１項に記載の汚染土壌処理装置。
【請求項８】
上記予備加熱部の内部温度は６５０℃〜８００℃であることを特徴とする請求項７記載の汚染土壌処理装置。
【請求項９】
上記本加熱部の内部温度は７５０℃〜８５０℃であることを特徴とする請求項７又は８記載の汚染土壌処理装置。
【請求項１０】
上記水槽部内の水を冷却する冷却部を設けてなることを特徴とする請求項２〜９のいずれか１項に記載の汚染土壌処理装置。
【発明の詳細な説明】
【技術分野】
【０００１】
本発明は例えばダイオキシン類（ＤＸＮ）やポリ塩化ビフェニル（ＰＣＢ）などの有害物質を含む浚渫汚泥（底質など）を無害化する際に用いられる汚染土壌処理方法及びその装置に関するものである。
【背景技術】
【０００２】
従来この種の汚染土壌処理装置として、上記汚染土壌をロータリーキルン等で加熱して汚染土壌中の有害物質を蒸発気化させ、汚染土壌から蒸発気化した有害物質を含む蒸発ガスを直接又は間接加熱して蒸発ガス中から熱分解により有害物質を分解除去し、有害物質が分解除去された蒸発ガス中の煤塵をバグフィルタで除去する構造のものが知られている。
【特許文献１】特開２０００−２７９９４２
【発明の開示】
【発明が解決しようとする課題】
【０００３】
しかしながらこれら構造の場合、上記汚染土壌中の有害物質を除去したとしても、バグフィルタなどの除塵手段で集塵された煤塵や除去物質の中にダイオキシン類などの有害物質が含まれているおそれがあるという不都合を有している。
【課題を解決するための手段】
【０００４】
本発明はこれらの不都合を解決することを目的とするもので、本発明のうちで、請求項１記載の方法の発明は、汚染土壌を加熱して汚染土壌中の水分及び有害物質を蒸発気化させ、該加熱により汚染土壌から有害物質が蒸発して除去された処理土壌を排出し、該加熱により該汚染土壌から蒸発して気化した有害物質を含む蒸発ガスと水とを気液接触させ、該有害物質を含む蒸発ガスと水とを気液分離し、該気液接触及び気液分離により有害物質が移行した水を貯めると共に該気液分離された該蒸発ガスを消臭して排気する汚染土壌処理工程と、上記汚染土壌処理工程からの溢流水に活性炭を加えて撹拌混合し、該混合物中の有害物質を吸着した活性炭を沈降処理し、該沈降処理により沈降した該活性炭を脱水処理する水浄化処理工程と、上記水浄化処理工程で脱水された有害物質を含む活性炭からなる被処理物を間接加熱して該被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理工程とからなることを特徴とする汚染土壌処理方法にある。
【０００５】
又、請求項２記載の装置の発明は、汚染土壌を加熱して汚染土壌中の水分及び有害物質を蒸発気化させる汚染土壌加熱部、該加熱により汚染土壌から有害物質が蒸発して除去された処理土壌を排出する土壌取出部、該加熱により該汚染土壌から蒸発して気化した有害物質を含む蒸発ガスと水とを気液接触させる気液接触部、該有害物質を含む蒸発ガスと水とを気液分離する気液分離部、該気液接触及び気液分離により有害物質が移行した水を貯める水槽部及び該気液分離された該蒸発ガスを消臭して排気する消臭排気部からなる汚染土壌処理部と、上記汚染土壌処理部の水槽部からの溢流水に活性炭を加えて撹拌混合する混合槽部、該混合物中の有害物質を吸着した活性炭を沈降処理する沈降槽部及び該沈降処理により沈降した該活性炭を脱水処理する脱水槽部からなる水浄化処理部と、上記水浄化処理部の脱水槽部で脱水された有害物質を含む活性炭からなる被処理物を間接加熱して該被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理部とからなることを特徴とする汚染土壌処理装置にある。
【０００６】
又、請求項３記載の発明は、上記熱分解除去処理部は、上記被処理物を間接加熱して該被処理物中の水分及び有害物質を蒸発気化させる蒸発部、該間接加熱により被処理物から蒸発気化した蒸発ガスを減圧雰囲気下で加熱して蒸発ガス中の有害物質を熱分解により除去する加熱部と、該有害物質が除去された処理ガスを排気する排気部とを備えてなることを特徴とするものであり、又、請求項４記載の発明は、上記汚染土壌処理部の気液接触部は、上記水槽部内の水の噴流によるベンチュリー効果を用いた構造となっていることを特徴とするものであり、又、請求項５記載の発明は、上記汚染土壌処理部の消臭排気部に、上記蒸発ガス中の塩素分を苛性ソーダの噴霧により中和する中和処理部を備えてなることを特徴とするものであり、又、請求項６記載の発明は、上記熱分解除去処理部の加熱部は１０Ｐａ〜１００Ｐａの減圧雰囲気下に作製されていることを特徴とするものであり、又、請求項６記載の発明は、上記熱分解除去処理部の加熱部は、上記蒸発部での該間接加熱により被処理物から蒸発気化した蒸発ガスを減圧雰囲気下で間接予備加熱する予備加熱部と、該予備加熱された該蒸発ガスを減圧雰囲気下で間接本加熱して蒸発ガスに含まれている有害物質を熱分解により除去する本加熱部とからなることを特徴とするものであり、又、請求項８の発明は、上記予備加熱部の内部温度は６５０℃〜８００℃であることを特徴とするものであり、又、請求項９記載の発明は、上記本加熱部の内部温度は７５０℃〜８５０℃であることを特徴とするものであり、又、請求項１０記載の発明は、上記水槽部内の水を冷却する冷却部を設けてなることを特徴とするものである。
【発明の効果】
【０００７】
本発明は上述の如く、請求項１又は２記載の発明にあっては、汚染土壌処理部において、汚染土壌加熱部により汚染土壌を加熱して汚染土壌中の水分及び有害物質を蒸発気化させ、該加熱により汚染土壌から有害物質が蒸発して除去された処理土壌を土壌取出部で排出することになり、この有害物質が蒸発して除去された処理土壌を多目的に再利用することになり、そして、気液接触部において、加熱により汚染土壌から蒸発して気化した有害物質を含む蒸発ガスと水とを気液接触させ、次いで、気液分離部において、有害物質を含む蒸発ガスと水とを気液分離し、この気液接触及び気液分離により有害物質が移行した水を水槽部に貯め、この水槽部内の水を冷却部により冷却すると共に気液分離された蒸発ガスを消臭排気部により消臭して排気する汚染土壌処理工程が行われることになり、更に、水浄化処理部において、上記汚染土壌処理工程からの溢流水に活性炭を加えて撹拌混合し、該混合物中の有害物質を吸着した活性炭を沈降処理し、該沈降処理により沈降した該活性炭を脱水処理する水浄化処理工程が行われることになり、また、更に、熱分解除去処理部において、上記水浄化処理工程で脱水された有害物質を含む活性炭からなる被処理物を間接加熱して被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理工程が行われることになり、したがって、汚染土壌処理部において、汚染土壌を加熱して汚染土壌中の水分及び有害物質を蒸発気化させ、該加熱により汚染土壌から有害物質を蒸発除去し、有害物質を除去された処理土壌を排出して処理土壌を多目的に再利用することができ、さらに、この加熱により汚染土壌から蒸発して気化した有害物質を含む蒸発ガスと水とを気液接触させたのち、有害物質を含む蒸発ガスと水とを気液分離し、この気液接触及び気液分離により有害物質が移行した水を貯めると共に気液分離により有害物質が除去された蒸発ガスを消臭し、一方、水浄化処理部において、上記汚染土壌処理工程からの溢流水に活性炭を加えて撹拌混合し、該混合物中の有害物質を吸着した活性炭を沈降処理し、該沈降処理により沈降した該活性炭を脱水処理する水浄化処理工程が行われることになり、また、更に、熱分解除去処理部において、上記水浄化処理部で脱水された有害物質を含む活性炭からなる被処理物を間接加熱して被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気することができ、よって、汚染土壌中の有害物質を除去した処理土壌を得ることができ、処理土壌を多目的に再利用することができ、かつ、この水浄化処理に用いられた有害物質を含む活性炭からなる被処理物から有害物質を熱分解により除去することができ、上記汚染土壌中の有害物質及び上記水浄化処理に用いられた活性炭に含まれる有害物資をも確実に除去することができ、汚染土壌中の有害物質を確実に除去することができる。
【０００８】
又、請求項３記載の発明にあっては、上記熱分解除去処理部は、上記被処理物を間接加熱して被処理物中の水分及び有害物質を蒸発気化させる蒸発部、該間接加熱により被処理物から蒸発気化した蒸発ガスを減圧雰囲気下で加熱して蒸発ガス中の有害物質を熱分解により除去する加熱部と、該有害物質が除去された処理ガスを排気する排気部とを備えてなるから、被処理物中に存在する有害物質を熱分解により確実に除去することができ、又、請求項４記載の発明にあっては、上記汚染土壌処理部の気液接触部は、上記水槽部内の水の噴流によるベンチュリー効果を用いた構造となっているから、水に有害物質を確実に移行することができ、又、請求項５記載の発明にあっては、上記汚染土壌処理部の消臭排気部に、上記蒸発ガス中の塩素分を苛性ソーダの噴霧により中和する中和処理部を備えているから、ダイオキシン類の分解により発生する塩素ガスを中和することができ、又、請求項６記載の発明にあっては、上記熱分解除去処理部の加熱部は１０Ｐａ〜１００Ｐａの減圧雰囲気下に作製されているから、被処理物中の蒸発ガスの熱分解を良好に行うことができ、又、請求項７記載の発明にあっては、上記熱分解除去処理部の加熱部は、上記蒸発部での該間接加熱により被処理物から蒸発気化した蒸発ガスを減圧雰囲気下で間接予備加熱する予備加熱部と、該予備加熱された該蒸発ガスを減圧雰囲気下で間接本加熱して蒸発ガスに含まれている有害物質を熱分解により除去する本加熱部とからなるので、被処理物を確実に間接加熱することができ、又、請求項８記載の発明にあっては、上記予備加熱部の内部温度は６５０℃〜８００℃であるから、被処理物を確実に間接予備加熱することができ、又、請求項９記載の発明にあっては、上記本加熱部の内部温度は７５０℃〜８５０℃であるから、被処理物を確実に間接加熱することができ、又、請求項１０記載の発明にあっては、上記水槽部内の水を冷却する冷却部を設けてなるから、有毒ガスの発生や他の有害化学物質のデノボ合成を抑制することができ、汚染土壌中の有害物質を良好に除去処理することができる。
【発明を実施するための最良の形態】
【０００９】
図１、図２、図３は本発明の実施の形態例を示し、大別して、汚染土壌を加熱して汚染土壌中の水分及び有害物質を蒸発気化させ、該加熱により汚染土壌から有害物質が蒸発して除去された処理土壌を排出し、該加熱により該汚染土壌から蒸発して気化した有害物質を含む蒸発ガスと水とを気液接触させ、その該有害物質を含む蒸発ガスと水とを気液分離し、該気液接触及び気液分離により有害物質が移行した水を貯めると共に該気液分離された該蒸発ガスを消臭して排気する汚染土壌処理工程ａと、上記汚染土壌処理工程ａからの溢流水に活性炭Ｋを加えて撹拌混合し、該混合物中の有害物質を吸着した活性炭Ｋを沈降処理し、該沈降処理により沈降した該活性炭Ｋを脱水処理する水浄化処理工程ｂと、上記水浄化処理工程ｂで脱水された有害物質を含む活性炭Ｋからなる被処理物を間接加熱して該被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理工程ｃとからなる。
【００１０】
又、その装置として、大別して、汚染土壌を加熱して汚染土壌中の水分及び有害物質を蒸発気化させる汚染土壌加熱部１、該加熱により汚染土壌から有害物質が蒸発して除去された処理土壌を排出する土壌取出部２、該加熱により該汚染土壌から蒸発して気化した有害物質を含む蒸発ガスと水とを気液接触させる気液接触部３、該有害物質を含む蒸発ガスと水とを気液分離する気液分離部４、該気液接触及び気液分離により有害物質が移行した水を貯める水槽部５、該水槽部５内の水を冷却する冷却部６及び該気液分離された該蒸発ガスを活性炭Ｋにより除塵し、その蒸発ガスを消臭して排気する消臭排気部７からなる汚染土壌処理部Ａと、上記汚染土壌処理部Ａの水槽部５からの溢流水に活性炭Ｋを加えて撹拌混合する混合槽部８、該混合物中の有害物質を吸着した活性炭を沈降処理する沈降槽部９及び該沈降処理により沈降した該活性炭を脱水処理する脱水槽部１０とからなる水浄化処理部Ｂと、上記水浄化処理部Ｂの脱水槽部１０で脱水された有害物質を含む活性炭Ｋからなる被処理物Ｗを間接加熱して該被処理物中の有害物質を蒸発気化させ、被処理物から蒸発気化した有害物質を含む蒸発ガスを減圧雰囲気下で間接加熱して蒸発ガス中の有害物質を熱分解により除去し、有害物質が除去された処理ガスを排気する熱分解除去処理部Ｃとからなる。
【００１１】
この場合、上記汚染土壌処理部Ａにおいて、汚染土壌加熱部１で約３ＫＰａ以上の減圧雰囲気下で約５００℃〜８００℃の温度で加熱保持して汚染土壌中の水分及び有害物質を蒸発気化させるように構成され、土壌取出部２で該加熱により汚染土壌から有害物質が蒸発して除去された処理土壌を排出するように構成されている。
【００１２】
又、上記気液接触部３は、図２の如く、水の噴流によるベンチュリー効果を用いた構造となっており、即ち、高圧の水を噴射することにより蒸発ガスを吸い込み、該汚染土壌から蒸発して気化した有害物質を含む蒸発ガスと水とを気液接触させるように構成され、又、気液分離部４は、図２の如く、サイクロン構造に構成され、有害物質を含む蒸発ガスと水とをサイクロン作用により気液分離するように構成されている。
【００１３】
又、上記水槽部５は、図３の如く、上記気液接触及び気液分離により有害物質が移行した水を貯めるように構成され、この水槽部５内の水は気液接触部３の噴出水として利用され、かつ、該水槽部５内の水は冷却部６により冷却される構造となっており、そして、気液分離された蒸発ガスを粉状の活性炭Ｋにより除塵し、その蒸発ガスを消臭排気部７により消臭して排気するように構成している。
【００１４】
この場合、上記汚染土壌処理部Ａの消臭排気部７に、上記蒸発ガス中の塩素分を苛性ソーダの噴霧により中和する中和処理部７ａを備えている。
【００１５】
この場合、上記水浄化処理部Ｂにおいて、上記汚染土壌処理部Ａの水槽部５からの溢流水を混合槽部８に入れ、この混合槽部８内の水に粒状の活性炭Ｋを加えて撹拌混合し、この混合物中の有害物質を吸着した活性炭を沈降槽部９で沈降処理し、この沈降処理により沈降した沈殿物Ｔたる該活性炭Ｋを脱水槽部１０で脱水処理するように構成されている。尚、混合槽部８及び又は沈降槽部９内に高分子凝集剤及びアルカリ物質を加えることにより固形化並びに水の中和を促進することになる。このアルカリ物質としては、例えば、苛性ソーダや消石灰などである。
【００１６】
又、上記熱分解除去処理部Ｃにおいて、上記水浄化処理部Ｂの脱水槽部１０で脱水された有害物質を含む活性炭Ｋからなる被処理物Ｗを間接加熱して該被処理物Ｗ中の有害物質を蒸発気化させ、被処理物Ｗから蒸発気化した有害物質を含む蒸発ガスを減圧雰囲気下で間接加熱して蒸発ガス中の有害物質を熱分解により除去し、有害物質が除去された処理ガスを排気するように構成され、この場合、上記被処理物Ｗを間接加熱して該被処理物中の水分及び有害物質を蒸発気化させる蒸発部１１、該間接加熱により被処理物Ｗから蒸発気化した蒸発ガスを減圧雰囲気下で間接加熱して蒸発ガス中の有害物質を熱分解により除去する加熱部１２と、該有害物質が除去された処理ガスを中和処理部１３ａにより中和処理して排気する排気部１３を備えてなり、かつ、この場合、上記熱分解除去処理部Ｃの加熱部１２は、上記蒸発部１１での該間接加熱により被処理物から蒸発気化した蒸発ガスを減圧雰囲気下で間接予備加熱する予備加熱部１２ａ、該予備加熱された該蒸発ガスを減圧雰囲気下で間接本加熱して蒸発ガスに含まれている有害物質を熱分解により除去する本加熱部１２ｂとからなり、例えば、蒸発部１１において、被処理物Ｗを常温〜約２３０℃程度の昇温雰囲気下において１時間程度間接加熱保持し、その後、約５００℃程度まで昇温して２時間程度保持し、そして、予備加熱部１２ａにおいて、約８０Ｐａ〜約９０Ｐａの減圧雰囲気下で、赤外線ヒータ等により約７５０℃の温度で間接予備加熱し、本加熱部１２ｂにおいて、約８０Ｐａ〜約９０Ｐａの減圧雰囲気下で、赤外線ヒータ等により約８００℃の温度で間接本加熱し、間接加熱により被処理物Ｗ中の有害物質を蒸発気化させ、被処理物Ｗから蒸発気化した有害物質を含む蒸発ガスを減圧雰囲気下で間接加熱して蒸発ガス中の有害物質を熱分解により除去するように構成している。
【００１７】
このように、上記熱分解除去処理部の加熱部１２を１０Ｐａ〜１００Ｐａの減圧雰囲気下に作製しているのは、１０Ｐａ以下になると真空ポンプや設備費が高くなること等からであり、コストを考慮したものであり、又、１００Ｐａ以下にしたのは、１００Ｐａ以上になると分解温度が高くなって所定の温度での分解ができなくなるからであり、又、上記予備加熱部１２ａの内部温度を６５０℃〜８００℃にしているのは、６５０℃以下であると、蒸発ガスの接触による熱分解の予備加熱が良好に行われないことがあり、又、８００℃以下にしたのは、減圧雰囲気下で熱分解をさせるための予備加熱温度として８００℃以下で充分だからであり、又、上記本加熱部１２ｂの内部温度は７５０℃〜８５０℃しているのは、７５０℃以下であると、蒸発ガスの接触による熱分解が良好に行われないことがあり、又、８５０℃以下にしたのは、減圧雰囲気下では８５０℃以下で充分に分解するからである。
【００１８】
又、上記冷却部６は、上記水槽部５内の水を冷却することにより有毒ガスの発生や他の有害化学物質のデノボ合成を抑制するためであり、この冷却温度は５℃〜１５℃に設定されている。
【００１９】
この実施の形態例は上記構成であるから、汚染土壌処理部Ａにおいて、汚染土壌加熱部１により汚染土壌を加熱して汚染土壌中の水分及び有害物質を蒸発気化させ、該加熱により汚染土壌から有害物質が蒸発して除去された処理土壌を土壌取出部２で排出することになり、この有害物質が蒸発して除去された処理土壌を多目的に再利用することになり、そして、上記気液接触部３において、加熱により汚染土壌から蒸発して気化した有害物質を含む蒸発ガスと水とを気液接触させ、次いで、上記気液分離部４において、有害物質を含む蒸発ガスと水とを気液分離し、この気液接触及び気液分離により有害物質が移行した水を水槽部５に貯め、この水槽部５内の水を冷却部６により冷却すると共に気液分離された蒸発ガスを消臭排気部７により消臭して排気する汚染土壌処理工程ａが行われることになり、更に、水浄化処理部Ｂにおいて、上記汚染土壌処理部Ａの水槽部５からの溢流水を混合槽部８に入れ、この混合槽部８内の水に活性炭Ｋを加えて撹拌混合し、この混合物中の有害物質を吸着した活性炭を沈降槽部９で沈降処理し、該沈降処理により沈降した沈殿物Ｔたる該活性炭Ｋを脱水槽部１０で脱水処理する水浄化処理工程ｂが行われることになり、また、更に、熱分解除去処理部Ｃにおいて、上記水浄化処理部Ｂの脱水槽部１０で脱水された有害物質を含む活性炭Ｋからなる被処理物Ｗを間接加熱して被処理物Ｗ中の有害物質を蒸発気化させ、被処理物Ｗから蒸発気化した有害物質を含む蒸発ガスを減圧雰囲気下で間接加熱して蒸発ガス中の有害物質を熱分解により除去し、有害物質が除去された処理ガスを排気する熱分解除去処理工程ｃが行われることになる。
【００２０】
したがって、汚染土壌処理部Ａにおいて、汚染土壌を加熱して汚染土壌中の水分及び有害物質を蒸発気化させ、該加熱により汚染土壌から有害物質を蒸発除去し、有害物質を除去された処理土壌を排出して処理土壌を多目的に再利用することができ、さらに、この加熱により汚染土壌から蒸発して気化した有害物質を含む蒸発ガスと水とを気液接触させたのち、有害物質を含む蒸発ガスと水とを気液分離し、この気液接触及び気液分離により有害物質が移行した水を貯めると共に気液分離により有害物質が除去された蒸発ガスを消臭し、一方、水浄化処理部Ｂにおいて、気液接触及び気液分離により有害物質が移行した溢流水に含まれる有害物質を活性炭Ｋにより除去し、熱分解除去処理部Ｃにおいて、上記活性炭Ｋ及び上記水浄化処理部の脱水槽部で脱水された有害物質を含む活性炭からなる被処理物Ｗを間接加熱して被処理物Ｗ中の有害物質を蒸発気化させ、被処理物Ｗから蒸発気化した有害物質を含む蒸発ガスを減圧雰囲気下で間接加熱して蒸発ガス中の有害物質を熱分解により除去し、有害物質が除去された処理ガスを排気することができ、よって、汚染土壌中の有害物質を除去した処理土壌を得ることができ、処理土壌を多目的に再利用することができ、かつ、この水浄化処理に用いられた上記有害物質が吸着された活性炭たる被処理物Ｗに含まれる有害物質を熱分解により除去することができ、上記汚染土壌中の有害物質及び上記水浄化処理に用いられた活性炭に吸着された有害物資をも確実に除去することができ、汚染土壌中の有害物質を確実に除去することができる。
【００２１】
この際、上記熱分解除去処理部Ｃは、上記被処理物Ｗを間接加熱して被処理物Ｗ中の水分及び有害物質を蒸発気化させる蒸発部１１、該間接加熱により被処理物Ｗから蒸発気化した蒸発ガスを減圧雰囲気下で加熱して蒸発ガス中の有害物質を熱分解により除去する加熱部１２と、該有害物質が除去された処理ガスを排気する排気部１３とを備えてなるから、被処理物Ｗ中に存在する有害物質を熱分解により確実に除去することができ、又、この場合、上記汚染土壌処理部Ａの気液接触部３は、上記水槽部内の水の噴流によるベンチュリー効果を用いた構造となっているから、水に有害物質を確実に移行することができ、又、この場合、上記汚染土壌処理部Ａの消臭排気部７に、上記蒸発ガス中の塩素分を苛性ソーダの噴霧により中和する中和処理部７ａを備えているから、ダイオキシン類の分解により発生する塩素ガスを中和することができ、又、この場合、上記熱分解除去処理部Ｃの加熱部１２は１０Ｐａ〜１００Ｐａの減圧雰囲気下に作製されているから、被処理物Ｗ中の蒸発ガスの熱分解を良好に行うことができ、又、この場合、上記熱分解除去処理部Ｃの加熱部１２は、上記蒸発部１１での該間接加熱により被処理物Ｗから蒸発気化した蒸発ガスを減圧雰囲気下で間接予備加熱する予備加熱部１２ａと、該予備加熱された該蒸発ガスを減圧雰囲気下で間接本加熱して蒸発ガスに含まれている有害物質を熱分解により除去する本加熱部１２ｂとからなるので、被処理物Ｗを確実に間接加熱することができ、又、この場合、上記予備加熱部１２ａの内部温度は６５０℃〜８００℃であるから、被処理物Ｗを確実に間接予備加熱することができ、又、この場合、上記本加熱部１２ｂの内部温度は７５０℃〜８５０℃であるから、被処理物Ｗを確実に間接加熱することができ、又、この場合、上記水槽部５内の水を冷却する冷却部６を設けてなるから、有毒ガスの発生や他の有害化学物質のデノボ合成を抑制することができ、汚染土壌中の有害物質を良好に除去処理することができる。
【００２２】
尚、本発明は上記実施の形態例に限られるものではなく、汚染土壌加熱部１、土壌取出部２、気液接触部３、気液分離部４、水槽部５、冷却部６、消臭排気部７、混合槽部８、沈降槽部９、脱水槽部１０、蒸発部１１、加熱部１２、予備加熱部１２ａ、本加熱部１２ｂ、排気部１３、その他の構造は適宜変更して設計されるものである。
【００２３】
以上、所期の目的を充分達成することができる。
【図面の簡単な説明】
【００２４】
【図１】本発明の実施の形態例の全体構成系統図である。
【図２】本発明の実施の形態例の部分説明図である。
【図３】本発明の実施の形態例の部分説明図である。
【符号の説明】
【００２５】
Ｋ    活性炭
Ａ    汚染土壌処理部
Ｂ    水浄化処理部
Ｃ    熱分解除去処理部
Ｔ    沈殿物
Ｗ    被処理物
ａ    汚染土壌処理工程
ｂ    水浄化処理工程
ｃ    熱分解処理工程
１    汚染土壌加熱部
２    土壌取出部
３    気液接触部
４    気液分離部
５    水槽部
６    冷却部
７    消臭排気部
７ａ    中和処理部
８    混合槽部
９    沈降槽部
１０    脱水槽部
１１    蒸発部
１２    加熱部
１２ａ    予備加熱部
１２ｂ    本加熱部
１３    排気部
【図１】
2010051837.tif 000003
【図２】
2010051837.tif 000004
【図３】
2010051837.tif 000005